(57)【要約】【課題】本実施形態は、左側用と右側用および中央用の種類別を無くし、共通化を図って、在庫数の軽減化および製作コストの低減化を図った側面構造体と、その側面構造体を用いて組立てられるショーケースを提供する。【解決手段】側面構造体は、断熱性を有する少なくとも天板と背面板および底板とともに筐体を構成する側面板と、側面板における背面側端面に取付けられ背面板よりも背面方向へ突出するアタッチメントとを具備する。  ショーケースは、前記側面構造体と、少なくとも天板、背面板および底板とで組立てられる。【選択図】    図１
2017131388.tif 000002
【特許請求の範囲】
【請求項１】
少なくとも天板、背面板および底板とともに筐体を構成する少なくとも左右どちらか一方側の側面板と、
前記側面板における背面側端面に取付けられ、前記背面板よりも背面方向へ突出するアタッチメントと、
を具備することを特徴とする側面構造体。
【請求項２】
前記側面板は、金属製板材からなる第１の板材および第２の板材と、前記第１の板材と前記第２の板材との間に介在してなる断熱材を有し、
前記第１の板材は、前記側面板の背面側端部の少なくとも一部を覆っており、
前記アタッチメントは、少なくとも前記第１の板材の背面側端部に固定される
ことを特徴とする請求項１記載の側面構造体。
【請求項３】
前記側面板は、前記天板と、前記背面板と、もしくは前記底板と連結するための連結具および固定座を備えていて、
前記連結具は、一端部に頭部が設けられ、他端部にねじ部が設けられる取付けボルトおよび、前記取付けボルトの前記ねじ部に螺合するナットとからなり、
前記固定座は、前記連結具の前記取付けボルトが挿通するボルト挿通用孔と、前記ボルト挿通用孔における軸方向の両側端部に設けられ、前記取付けボルトの前記頭部が掛合可能な凹陥部とを有する
ことを特徴とする請求項１もしくは請求項２記載の側面構造体。
【請求項４】
前記請求項１もしくは、前記請求項２もしくは、前記請求項３記載の側面構造体と、少なくとも前記天板、前記背面板および前記底板とで組立てられてなることを特徴とするショーケース。
【発明の詳細な説明】
【技術分野】
【０００１】
本発明の実施形態は、断熱性を有する筐体を構成する側面構造体および、この側面構造体を用いたショーケースに関する。
【背景技術】
【０００２】
たとえばショーケースのショーケース本体は、いずれも断熱性を有する天板と、左右両側の側面板と、背面板および底板とからなり、前面部は開口したオープンタイプのものが多用されている。
【０００３】
ショーケース本体を構成する各板を成形するには、金属製の薄板からなる外板と内板とを互いに間隙を有して固定し、これら外板と内板の全周面を、たとえば木材からなる枠体で囲んで内部に空間部を形成する。その上で、空間部に断熱材であるウレタン材もしくはポリウレタン材を発泡充填させる。
【０００４】
このことにより、断熱材は外板、内板および枠体に密着する。外板と内板とを間隙を有して形成するのは、互いの熱伝導を遮断して、たとえば外板に結露が生じないようにするためである。木材からなる枠体を用いるのは、発泡材を発泡させた際に外板と内板との間から発泡材が漏れるのを防止するためであり、木材に代って合成樹脂材でもよい。
【０００５】
オープンショーケースを据付ける際は、通常、ショーケース本体の背面板を据付け室の壁面とは、ある程度の間隙を有して配置する。この間隙に、電気配線および内部に収容する冷凍サイクル機器に接続する配管類を位置させる。このため、据付け施工およびメンテナンスの作業がし易くなる。
【０００６】
しかしながら、そのままの状態にしておくと、オープンショーケースの側部後端である側面板の背面側端面と据付け室の壁面との間隙から電気配線および配管類が見えて見苦しく、外観上の欠点となる。そこで先行技術では、側面板の背面側端面を背面板よりも間隙分だけ突出して形成している。
【先行技術文献】
【特許文献】
【０００７】
【特許文献１】特開２００６−１１６１２１号公報
【発明の概要】
【発明が解決しようとする課題】
【０００８】
先行技術で得られるオープンショーケースを据付けするにあたって、側面板の背面側端面を据付け室の壁面に密着させる。したがって、背面板と据付け室の壁面とは間隙を有したまま、側面板の背面側端部での間隙を遮蔽できて外観上の向上を得られる。背面板と据付け室の壁面との間隙には、効率よく空気が流通して結露の発生を阻止する。
【０００９】
ところで、ショーケース本体を組立てるのに、背面板と左右両側の側面板とを連結固定する固定具が必要である。また、側面板には展示性を良くするために前縁に切欠きが設けられガラス板が嵌め込まれているものがあり、左右両側の側面板における切欠き形状やガラス板の嵌め込み位置および面積を変えて、より展示性を向上させることもある。
【００１０】
そのため、右側用と左側用との２種類の側面板を用意する必要がある。また、据付け先の条件によっては、複数台のショーケースを一体的に連結して並置するが、右側用と左側用に加えて、中央仕切り板（中央側板）との３種類の側面板が求められる。それぞれの側面板には様々な形状のバリエーションの在庫が必要であり、管理手間がかかり、製作コストに影響を及ぼしている。
【００１１】
そこで本実施形態は、左側用と右側用または中央用の種類別を無くし、共通化を図って、在庫数の軽減化および製作コストの低減化を図った側面構造体と、その側面構造体を用いて組立てられるショーケースを提供しようとするものである。
【課題を解決するための手段】
【００１２】
本実施形態の側面構造体は、断熱性を有する少なくとも天板と背面板および底板とともに筐体を構成する側面板と、側面板における背面側端面に取付けられ背面板よりも背面方向へ突出するアタッチメントとを具備する。
【００１３】
本実施形態のショーケースは、前記側面構造体と、少なくとも天板、背面板および底板とで組立てられる。
【図面の簡単な説明】
【００１４】
【図１】本実施形態に係る、オープンショーケースの斜視図。
【図２】同実施形態に係る、オープンショーケースの概略平面図。
【図３】同実施形態に係る、オープンショーケースの側面図と、一部拡大図。
【図４】同実施形態に係る、背面板と側面構造体との連結構造を説明する一部横断平面図。
【図５】同実施形態に係る、背面板と側面板との連結構造部分を拡大して示す一部横断平面図。
【発明を実施するための形態】
【００１５】
以下、本実施の形態について、図面を参照して説明する。なお、符号を付していない構成部品については図示していない。  
図１に示すように、ショーケース本体（筐体）１が薄い鉄板で箱状に形成される基台２上に一体に載設されてなる。ショーケース本体１は、正面視および平面視で略長方形状をなし、それぞれ断熱性を有する天板１ａと、底面板と、背面板１ｃと、左右両側の側面板１ｄ，１ｄおよび中央仕切り板１ｅとを組合せてなる。
【００１６】
基台２の内部は熱交換室となっていて、冷凍サイクルの一部を構成する蒸発器、弁類および配管類等が収容される。ショーケース本体１内部に、上部に商品を陳列する陳列室４が設けられ、下部に熱交換室が設けられる。これら陳列室および熱交換室は、図２に示す中央仕切り板１ｅによって左右に二室に仕切られ、それぞれが独立して構成される。
【００１７】
陳列室４の正面視は上下方向に長く、左右幅方向に所定長さの矩形状をなす。天板１ａの側面視は、背面板１ｃから所定長さだけ突出する矩形状をなす。陳列室４の奥側の壁を形成している背面壁４ｃは、背面板１ｃから前方へ所定寸法を有して形成され、上端部から下端部にかけて前方へ向かって僅かに傾斜している。
【００１８】
陳列室４の天井壁は天板１ａとは、間隙を有して形成される。陳列室４は、天井壁、底面壁４ｂ、背面壁４ｃと、左右両側の側面板１ｄ，１ｄおよび中央仕切り板１ｅによって前面を除く各面が閉塞され、前面のみが開放された前面開口部Ｔとなる。
【００１９】
陳列室４の背面壁４ｃには、複数段の棚ｇが上下方向に所定の間隔を有して設けられる。それぞれの棚ｇは、後端部を背面壁４ｃに支持され、前方へ突出していて、これら棚ｇ上には販売される飲料等の商品が載置陳列される。そして、背面壁４ｃには、各棚ｇ上の陳列した商品に対する冷却手段として、複数の冷却用吹出し口が設けられる。
【００２０】
天板１ａの下面、すなわち陳列室４の天井壁の前端部に沿って、ショーケース本体１外部から陳列室４への外部空気の侵入を阻止するとともに、陳列室４の冷却を行う冷風を吹出すためのエアカーテン吹出し口が設けられる。天板１ａと天井壁との間の空間は、エアカーテン吹出し口に冷風を案内するためのエアカーテン用ダクトが形成される。
【００２１】
一方、陳列室４の底面壁４ｂの前端部に沿って、陳列室背面壁４ｃに設けられる冷却用吹出し口から吹出される冷風と、陳列室天井壁に設けられるエアカーテン吹出し口から吹出されるエアカーテン冷風とを吸込むための吸込み口５が設けられる。
【００２２】
エアカーテン吹出し口と吸込み口５をつなぐ直線上には障害物がない。このため、エアカーテン吹出し口から吹出されたエアカーテン冷風は、棚ｇに邪魔されることなく吸込み口５に円滑に吸込まれるようになっている。この結果、エアカーテン冷風を安定して形成することができる。
【００２３】
吸込み口５は、前面開口部Ｔと、陳列室４の底面壁４ｂの下に設けられる熱交換室とを連通する。熱交換室には送風機および冷却器（蒸発器）と冷却器に接続される膨張弁が配置される。冷却器と膨張弁はショーケース本体１の外部に配置される冷凍機に設けられた圧縮機、凝縮器等に冷媒管を介して連結され、これらで冷凍サイクルが構成される。
【００２４】
上述したように、陳列室４の背面壁４ｃのさらに背面側は、空間を空けてショーケース本体１の背面板１ｃがある。陳列室４の背面壁４ｃとショーケース本体１の背面板１ｃとの間の空間部と、天板１ａと陳列室４の天井壁との間の空洞とで冷気循環用ダクトが構成される。
【００２５】
このようにして構成されるオープンショーケースであり、送風機を駆動することにより、吸込み口５周辺の空気が熱交換室に吸込まれる。さらに、冷却器に吹付けられて冷気が生成され冷気循環用ダクトに導かれる。冷気の一部は、陳列室４の背面壁４ｃに設けられる複数の冷却用吹出し口から吹出され、各棚ｇ上に陳列した商品を冷却する。
【００２６】
残りの冷気は天板１ａと陳列室４の天井壁との空洞に導かれ、エアカーテン吹出し口から吹出される。エアカーテン吹出し口から吹出された冷気は、陳列室４の前面開口部Ｔに沿って流通し、冷気のエアカーテンを形成する。そして、冷気は吸込み口５に導かれ、熱交換室に案内されて、より低温化し、送風機によって上述の系路を循環する。
【００２７】
図３（Ａ）にも示すように、左右両側の側面板１ｄは前端縁が凹陥状に形成され、ここにガラス板６が嵌め込まれている。このガラス板６は側面板１ｄの板厚方向の中央部分に嵌め込まれていて、内面と外面から同一寸法位置にある。
【００２８】
このように側面板１ｄ自体は、右側もしくは左側の区別なく、どちらでも取付け可能である。さらに、図２にも示すように、中央仕切り板１ｅも側面板１ｄと同一構造でよく、位置に係りなく側面板１ｄとして全て共通化され、取付け可能である。したがって、用意する種類が半減して、在庫数の軽減化を図れることができ、組立作業が容易になる。
【００２９】
左右両側の側面板１ｄには、後述するアタッチメント８が取付けられていて、これら側面板１ｄとアタッチメント８で側面構造体Ｓをなす。すなわち、ショーケース本体１の左右両側の側面は、側面構造体Ｓを用いて組立てられることになる。
【００３０】
アタッチメント８についてなお説明すれば、これは金属薄板もしくは剛性のある合成樹脂材で形成され、平面視で略コ字状に折曲される。高さ方向寸法は、側面板１ｄおよび背面板１ｃの高さ方向寸法と略一致し、折曲される両辺部の長さ方向寸法は側面板１ｄの板厚寸法と略一致する。
【００３１】
アタッチメント８の折曲される両辺部相互間に挟まれる辺部を、ここでは、「間隙遮蔽面」８ａと呼ぶ。間隙遮蔽面８ａの幅寸法は、ショーケース本体１を被据付け室Ｈに据付けた状態で、ショーケース本体１の背面と据付け室Ｈの壁面ａとの間に、電気配線や配管類が余裕を持って介在するのに必要な間隙ｄ分に相当するよう設定する。
【００３２】
ショーケース本体１を構成する背面板１ｃと側面板１ｄの背面側端面とは同一平面に組み立てられている。そのうえで、アタッチメント８の一方の辺部を側面板１ｄの背面側端面に取付けることによって、アタッチメント８の他方の辺部は背面板１ｃよりも所定距離分、すなわち間隙遮蔽面８ａだけ背面方向へ突出する。
【００３３】
ショーケース本体１を被据付け室Ｈに据付ける際、アタッチメント８の突出している辺部を据付け室Ｈの壁面ａに密着させる。そのため、背面板１ｃと中央仕切り板１ｅの背面側端面は据付け室Ｈの壁面ａと間隙ｄを有するが、左右両側の側面板１ｄとアタッチメント８とで構成される側面構造体Ｓは据付け壁Ｈの壁面ａに密着する。
【００３４】
背面板１ｃおよび中央仕切り板１ｅの背面側端面と、据付け室Ｈの壁面ａとの間隙ｄには、必要な電気配線類や、接続される配管類等が突出して収容される。これに対して、ショーケース本体１の側面においては、側面構造体Ｓを構成するアタッチメント８の間隙遮蔽面８ａが上述の間隙ｄを遮蔽する。
【００３５】
すなわち、左右両側の側面板１ｄにアタッチメント８を取付けて側面構造体Ｓを構成することで、間隙ｄに収容されている電気配線類や配管類がショーケース本体１の側面から遮蔽されることとなり、外観上の向上を得られる。
【００３６】
つぎに、図４および図５（Ａ）（Ｂ）にもとづいて、左右両側の側面板１ｄについて詳細に説明する。  
側面板１ｄは、金属製の薄板からなり、周面が断面直角状に折り曲げられた第１の板材２０および第２の板材２１と、これら第１の板材２０と第２の板材２１との間に介在し、第１の板材２０と第２の板材２１とは接着剤を用いて取付け固定される断熱材２２とからなる。
【００３７】
ここで第１の板材２０の折り曲げられた周面は、側面板１ｄの板厚さ方向寸法の中央より第２の板材２１側へ延出しており、側面板１の上下前後面の一部を覆っている。また、第２の板材２１の折り曲げられた周面は、第１の板材２０と重ならない範囲で、側面板１の上下前後面の一部を覆っている。
【００３８】
第１の板材２０と第２の板材２１の互いの折曲端縁はある程度の間隙を有していて、これらは当接しない、もしくは密着しない。ショーケース本体１における陳列室４の側面板１ｄとして用いられた状態で、上述したように第１の板材２０と第２の板材２１との間の熱伝導を遮断して、第２の板材２１の露付きなどの影響を及ぼさないようにしている。すなわち、第１の板材２０の周面と第２の板材２１の周面との間隙は、側面板１の板厚方向寸法において、第２の板材２１側に位置している。
【００３９】
本実施形態では、第１の板材２０の周面の背面側端面に前述のアタッチメント８を固定するねじｎが螺合するためのねじ穴が設けられており、ねじｎを用いて、アタッチメント８を側面板１ｄに固定する。アタッチメントを固定した状態で、間隙遮蔽面８ａは側面板１ｄと略段差なく連結され、外観を損なうことがない。
【００４０】
ここで、第１の板材２０の背面側端面のねじ穴は、側面板１ｄの厚さ方向寸法の中央に位置しており、側面板１ｄを左右入れ替えても同一のアタッチメント８を使用することができる。また、中央仕切り板１ｅの背面側端面も側面板１ｄと同一の構成とすることで、中央仕切り板１ｅと側面板１ｄを入れ替えても同一のアタッチメント８を使用することができる。
【００４１】
断熱材２２は、たとえばウレタン材を約３０倍に発泡し、板状に成形したものである。これに対して、従来の内板と外板および木材からなる枠体で囲まれる空間部に発泡充填される断熱材は、発泡倍率が約９０倍である。従来の高発泡倍率と比較して、本実施形態の断熱材は低発泡倍率であって、剛性が増している。
【００４２】
したがって、本実施形態の断熱材２２自体の重量は、従来の断熱材の重量よりもある程度重くなるが、従来では発泡材漏れ防止用としての木材もしくは合成樹脂材からなる枠体を用いているので側面板全体の重量が大であるのと比較して、本実施形態の側面板１ｄは枠体を不要とする分、軽量となるのが特徴である。
【００４３】
さらに、従来の側面板では、発泡設備や発泡治具等に無視できない高額の投資を必要とし、コストに悪影響を与えていた。これに対して本実施形態の側面板１ｄでは、これらの発泡設備や発泡治具は全て不要となり、コストの大幅低減化を図ることができる。
【００４４】
このような左右両側の側面板１ｄと背面板１ｃとの組立には、連結具１０と固定座１２およびＬ金具１４が用いられている。なお、側面板１ｄと天板１ａとの連結構造および、側面板１ｄと底板との連結構造も同一であるので、ここでは同図を適用して新たな説明を省略する。
【００４５】
側面板１ｄの所定位置には、複数の固定座１２が埋設されている。固定座１２は、たとえば発泡率が約１０倍程度の低発泡材（ウレタン材、ポリスチロール材等）で形成されていて、先に説明した断熱材２２の発泡形成と同時に得られるとともに、断熱材２２よりも低発泡率であるので、さらに剛性が増す。
【００４６】
これに代えて固定座１２を、たとえば木材で形成してもよいが、重量が嵩む欠点がある。また、合成樹脂材で成形してもよいが、型代、設備等を必要としてコストが嵩むことは変りがない。
【００４７】
固定座１２は、図３（Ａ），（Ｂ）にも示すように正面視で矩形状をなす。図４、図５（Ａ），（Ｂ）に示す断面図では、中央部両側端に凹陥部１３ａ，１３ａが設けられ、凹陥部１３ａ，１３ａ相互間部分にはボルト挿通用孔１３ｂが設けられる。換言すれば、ボルト挿通用孔１３ｂを介して両側の凹陥部１３ａ，１３ａが連通する。
【００４８】
側面板１ｄを構成する第１の板材２０と第２の板材２１は、固定座１２の両側面を覆うが、固定座１２に設けられる凹陥部１３ａ，１３ａは開口する。すなわち、固定座１２は、側面板１ｄを構成する断熱材２２の板厚と略同一の板厚であり、第１の板材２０と第２の板材２１との間に挟まれた状態になる。
【００４９】
連結具１０は、一端部に頭部１０ａが設けられ、他端部にねじ部１０ｂが設けられる取付けボルト１０ｃおよび、取付けボルト１０ｃのねじ部１０ｂに螺合するナット１０ｅとからなる。  
Ｌ金具１４は、文字通りＬ字状に折り曲げられた金属片であり、各片部には取付け用孔１４ａが設けられる。
【００５０】
側面板１ｄと背面板１ｃとの組立にあたって、Ｌ金具１４の一方の片部を背面板１ｃに連結具１５を用いて取付ける。そして、Ｌ金具１４の他方の片部を側面板１ｄの固定座１２に当てる。予め、Ｌ金具１４に設けられる取付け用孔１４ａの位置と、固定座１２に設けられるボルト挿通用孔１３ｂの位置とが一致するように設計する必要がある。
【００５１】
図５（Ａ）に示すように、左側の側面板１ｄでは、固定座１２のボルト挿通用孔１３ｂに連結具１０を構成する取付けボルト１０ｃのねじ部１０ｂを対向してから、ねじ部１０ｂを固定座１２の一方の凹陥部１３ａからボルト挿通用孔１３ｂと、他方の凹陥部１３ａを介してＬ金具１４の取付け用孔１４ａに挿通し、突出させる。
【００５２】
この状態で取付けボルト１０ｃの頭部１０ａは、固定座１２の一方の凹陥部１３ａに掛合して、ボルト挿通用孔１３ｂへは挿入しない。そこで、取付けボルト１０ｃのねじ部１０ｂにナット１０ｄを螺合して締め付ける。固定座１２とＬ金具１４は連結具１０によって強硬に取付け固定されることになる。  
なお、固定座１２の外側の凹陥部１３ａは露出しているので、別途、キャップ１６を嵌め込むことで、外観が損なわれることはない。
【００５３】
図５（Ｂ）に示すように、右側の側面板１ｄとＬ金具１４との連結は、先に説明した左側の側面板１ｄとＬ金具１４の連結とは左右逆になるが、同一手順で組立てることになる。最後に、取付けボルト１０ｃの頭部１０ａ側の凹陥部１３ａにキャップ１６を嵌め込んで外観を保持することは変りがない。
【００５４】
以上説明したように、固定座１２は、連結具１０の取付けボルト１０ｃが挿通するボルト挿通用孔１３ｂと、このボルト挿通用孔１３ｂにおける軸方向の両側端部に凹陥部１３ａを設けたから、左右いずれの側の側面板１ｄであっても取付けボルト１０ｃの頭部１０ａが一方の凹陥部１３ａに掛合でする。
【００５５】
このような固定座１２を設けた側面板１ｄであるので、左右いずれの側の側面板１ｄであっても用いることができる。換言すれば、左右両側の別なく共通の側面板１ｄを用意すれば良い。
【００５６】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００５７】
１ａ…天板、１ｃ…背面板、１…ショーケース本体（筐体）、１ｄ…側面板、８…アタッチメント、Ｓ…側面構造体、２０…第１の板材、２１…第２の板材、２２…断熱材、１０…連結具、１２…固定座、１０ａ…頭部、１０ｂ…ねじ部、１０ｃ…取付けボルト、１０ｄ…ナット、１３ｂ…ボルト挿通用孔、１３ａ…凹陥部。
【図１】
2017131388.tif 000003
【図２】
2017131388.tif 000004
【図３】
2017131388.tif 000005
【図４】
2017131388.tif 000006
【図５】
2017131388.tif 000007